Podtech/llm-jp-corpus-v4-ja_patent huggingface dataset:
(57)【要約】【課題】車の運転などで手の甲、手首の先が日焼けするのを防止し高速道路でお金の支払など指がつかいやすく筒状の蒸し暑さをなくし手にはめたりはずしたりを簡単にできる日焼け防止ハンドカバーを作る【解決手段】手の甲ミトンの形に布を裁断してふちを縫いつける。中指と親指を通すゴムのリング状の指通しを２ケ所取りつける手首にマジックテープがついたゴム付き、ひもバンドをつけて、伸縮性を利用して、大きな手の人も小さな手の人でも簡単にはめたり、はずしたりできる【選択図】図２
0003132225.tif 000002
【実用新案登録請求の範囲】
【請求項１】
手首の上、手の甲、五本の指をカバーする日焼け防止で内面に親指と中指を通すゴムのリング状の指通しがついていて外面に花かざりがついて、手の大きさにあわせて、手首の位置を固定する為のマジックテープでとめるゴム付ひもバンドがついている本体のまわりに、レースがついている日焼け防止甲ハンドカバー
【考案の詳細な説明】
【技術分野】
【０００１】簡単にはめられる様に内側に親指、中指を通すゴムのリング状の指通し固定するためのマジックテープ付ゴム付ひもバンド、蒸し暑さをなくすため筒状ではなく、内側、下になる方に布がない日焼け防止ハンドカバー
【背景技術】
【０００２】筒状のものが多く、蒸し暑くはめたりはずしたりがめんどうであった。
運転している時、高速道路などでお金の支払が大変（数えにくいため）
【考案の開示】
【考案が解決しようとする課題】
【０００３】簡単につけたり、はずしたりできる
蒸し暑さをなくす。
大きな手の人でも小さな手の人でもつけられる。
ずれおちない
【課題を解決するための手段】
【０００４】ミトンの形に裁断して内面に親指と中指を通すゴムのリング状の指通しをつける。
手首を簡単に固定するためのマジックテープ付、ゴム付ひもバンドをつける。
【考案の効果】
【０００５】日差しの強い時など運転している時お金の支払いも数えやすくらくである
はめたりはずしたりが簡単である。内側下の方に布がないので涼しい。
ハンドルが握りやすい。
【考案を実施するための最良の形態】
【０００６】手首の上、手の甲、五本の指をカバーするため、ミトンの形にして、ずれないようにするため、親指、中指をゴムのリング状に通し、手首の固定のため、マジックテープ付ひも付ゴムバンドをつける。
【実施例】
【０００７】ミトンの形をした内面の２親指と中指をゴムのリング状に通して４の手首を固定するため、マジックテープにゴム付ひもバンドをとめる
【図面の簡単な説明】
【０００８】
【図１】本考案外面図
【図２】本考案内面図
【図３】本考案使用時の外面図
【図４】本考案使用時の内面図
【符号の説明】
【０００９】１．花かざり
２  ゴムのリング状指通し
３  マジックテープ
４  ゴム付ひもバンド
５  ふちどりレース
【図１】
0003132225.tif 000003
【図２】
0003132225.tif 000004
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
手首の上、手の甲、五本の指をカバーし内面に親指と中指を通すゴムのリング状の指通しがついていて外面に花かざりがついて手の大きさにあわせて、手首の位置を固定する為の「マジックテープ（登録商標）」でとめるゴム付ひもバンドがついている本体のまわりに、レースがついている日焼け防止甲ハンドカバー
【手続補正３】
【補正対象書類名】明細書
【補正対象項目名】０００１
【補正方法】変更
【補正の内容】
【０００１】簡単にはめられる様に内側に親指、中指を通すゴムのリング状の指通し、固定するためのマジックテープ（登録商標）付ゴム付ひもバンド、蒸し暑さをなくすため筒状ではなく、内側、下になる方に布がない日焼け防止ハンドカバー
【手続補正４】
【補正対象書類名】図面
【補正対象項目名】全図
【補正方法】変更
【補正の内容】
【図１】
0003132225.tif 000005
【図２】
0003132225.tif 000006
【図３】
0003132225.tif 000007
【図４】
0003132225.tif 000008
【手続補正書】
【提出日】平成19年2月27日(2007.2.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
手首の上、手の甲、五本の指をカバーし内面に親指と中指を通すゴムのリング状の指通しがついていて外面に花かざりがついて手の大きさにあわせて、手首の位置を固定する為の面ファスナーでとめるゴム付ひもバンドがついている本体のまわりにレースがついている日焼け防止ハンドカバー
【手続補正２】
【補正対象書類名】手続補正書
【補正対象項目名】手続補正３
【補正方法】変更
【補正の内容】
【手続補正３】
【補正対象書類名】明細書
【補正対象項目名】０００１
【補正方法】変更
【補正の内容】
【０００１】簡単にはめられる様に内側に親指・中指を通すゴムのリング状の指通し固定するための面ファスナー付ゴム付ひもバンド蒸し暑さをなくすため筒状ではなく、内側、下になる方に布がない．日焼け防止ハンドカバー


【手続補正３】
【補正対象書類名】明細書
【補正対象項目名】０００４
【補正方法】変更
【補正の内容】
【０００４】ミトンの形に裁断して内面に親指と中指を通すゴムのリング状の指通しをつける。手首を簡単に固定するための面ファスナー付ゴム付ひもバンドをつける
【手続補正４】
【補正対象書類名】明細書
【補正対象項目名】０００６
【補正方法】変更
【補正の内容】
【０００６】手首の上、手の甲、五本の指をカバーするため、ミトンの形にして、ずれないようするため、親指、中指をゴムのリング状に通し、手首の固定のため、面ファスナー付ひも付ゴムバンドをつける
【手続補正５】
【補正対象書類名】明細書
【補正対象項目名】０００７
【補正方法】変更
【補正の内容】
【０００７】ミトンの形をした内面の２親指と中指をゴムのリング状に通して４の手首を固定するため面ファスナーにゴム付ひもバンドをとめる
【手続補正６】
【補正対象書類名】明細書
【補正対象項目名】０００９
【補正方法】変更
【補正の内容】
【０００９】１．花かざり
２．ゴムのリング状指通し
３．面ファスナー
４．ゴム付ひもバンド
５．ふちどりレース
(57)【要約】【課題】脹脛をマッサージする為に手など他の部位や電気を使用するという問題【解決手段】本考案は従来のマッサージ機とは異なり、手など他の部位や電気を使用することなく、金銭的負担も少なく体もリラックス状態を保ち、足を前後に揺り動かす事によりマッサージ効果を得ることが出来る器具である【選択図】図１
0003132213.tif 000002
【実用新案登録請求の範囲】
【請求項１】
従来の手動式マッサージ器とは、マッサージ器自体を脹脛にあて、それを手など他の部位を使い動かす事により、マッサージ効果を得るという物である。
また、電動式マッサージ機は、その価格購入後の電気代など、金銭的負担が大きいと言う問題があります。
本考案では従来の物とは異なり、手など他の部位は使わず、体は仰向けのリラックス状態を保ち、本器具に足を乗せその足を前後に揺り動かす事により、他の部位に負担をかける事無くマッサージ効果を得られ、電動式マッサージ機よりも低価格で消費者に提供する事が出来る器具である。
【考案の詳細な説明】
【技術分野】
【０００１】本考案は脹脛をマッサージする為のマッサージ器に関する
【背景技術】
【０００２】手動により他の部位を使い脹脛をマッサージする物や電動により電気を使用してマッサージする物
【考案の開示】
【考案が解決しようとする問題】
【０００３】脹脛をマッサージする為に、手など他の部位や、電気を使用するという問題
【問題を解決する為の手段】
【０００４】従来の手動式マッサージ機とは、マッサージ機自体を脹脛にあて、それを手など他の部位を使い動かす事によりマッサージ効果を得るという物である。
また、電動式マッサージ機は、その価格購入後の電気代など、金銭的負担が大きいという問題がある。
本考案では、従来の物とは異なり手など他の部位は使わず、体は仰向けのリラックス状態を保ち、本器具に足を乗せその足を前後に揺り動かす事により他の部位に負担をかける事なくマッサージ効果を得られ、電動式マッサージ機よりも低価格で消費者に提供する事が出来る器具である。
【考案の効果】
【０００５】脹脛は第二の心臓と言われる程血液が鬱血しやすく、そこをマッサージする事により血行が促進され、疲れや，コリを解しむくみを軽減させる効果を得ることができる。
本考案の脹脛マッサージ器は、手動式でありながら他の部位や、電気を使用する事無く体は仰向けのリラックス状態を保ち、脹脛をマッサージする事が出来る器具である。
【考案を実施するための最良の形態】
【０００６】図１参照
【図面の簡単な説明】
【図１】脹脛マッサージ器を示した斜視図である
【図２】脹脛マッサージ器を示した立面図である
【図１】
0003132213.tif 000003
【図２】
0003132213.tif 000004
【手続補正書】
【提出日】平成19年2月26日(2007.2.26)
【手続補正１】
【補正対象書類名】実用新案登録請求の範囲
【補正対象項目名】全文
【補正方法】変更
【補正の内容】
【実用新案登録請求の範囲】
【請求項１】
脹脛及び足首に刺激を与える
細かな突起を有するアーチ状の筒とその両端を支える各２本の柱をさらに半円状の板でとめ、板を結ぶ横木を備え付け、設置面をその板の円周により支えるマッサージ器
【手続補正２】
【補正対象書類名】明細書
【補正対象項目名】全文
【補正方法】変更
【補正の内容】
【考案の詳細な説明】
【技術分野】
【０００１】本考案は脹脛及び足首をマッサージするマッサージ器に関する。
【背景技術】
【０００２】従来のマッサージ器は、手など他の部位、また電気を使用していた。
【考案の開示】
【考案が解決しようとする課題】
【０００３】しかし、足のコリを解す為に他の部位を使えばそこが疲れ、電気を使用すれば金銭的負担がかかり不便である。
【課題を解決するための手段】
【０００４】そこで、脹脛及び足首に刺激を与える細かな突起を有するアーチ状の筒と、その両端を支える各２本の柱をさらに半円状の板でとめ、板を結ぶ横木を備え付け、設置面をその板の円周により支えるマッサージ器を考案した（図１）
このマッサージ器に脹脛をのせ、前後に揺り動かす事によりマッサージができる。
【考案の効果】
【０００５】本考案のマッサージ器により、体の他の部位や電気を使用することなく、脹脛及び足首をマッサージできる。
また、図１のアーチ状の筒Ａは取り外し、足裏マッサージ器としても使用ができる。
【考案を実施するための最良の形態】
【０００６】本考案に係るマッサージ器Ｍは、図１に示すようにアーチ状の筒Ａとその両端を支える各２本の柱Ｂを、半円状の板Ｃでとめ、板Ｃを結ぶ横木Ｅを備え付け設置面をその板Ｃの円周Ｄで支えて形成される。
アーチ状の筒Ａには細かな突起をつけ取り外し可能にする。マッサージ器Ｍの大きさは両足をのせ多少余裕がある程度にすればよい。
素材には木材、金属、プラスチックを各々統一で形成する事が望ましい。
【図面の簡単な説明】
【０００７】
【図１】  本考案に係るマッサージ器の斜視図である。
【図２】  本考案に係るマッサージ器の立面図である。
【符号の説明】
【０００８】  Ａ．アーチ状の筒
Ｂ．柱
Ｃ．半円状の板
Ｄ．半円状の板の円周
Ｍ．脹脛及び足首マッサージ器
【手続補正３】
【補正対象書類名】図面
【補正対象項目名】全図
【補正方法】変更
【補正の内容】
【図１】
0003132213.tif 000005
【図２】
0003132213.tif 000006
(57)【要約】      （修正有）【課題】暗い、狭い、高い場所で使用でき、平方根、立方根計算機能付きハンディーメジャーを提供する。【解決手段】携帯メジャーに、音声表示をつけることで測定値を耳で確認できる。ランプ付デジタル表示装置にて暗がりでも確認できる。また、複数回の測定値を記憶する装置をつけることにより筆記用具等を持つことなくメジャーひとつ持つだけで短い時間で狭い場所、高い場所で計測することができる。計算機機能をつけることで測定値の平方根・立方根を計算できる。【選択図】図１
0003132220.tif 000002
【実用新案登録請求の範囲】
【請求項１】
従来のメジャーに、デジタル化された数値・音声表示、及びランプ・測定記憶装置・平方根・立方根の計算機能を取り付けたことを特徴とする測定用の「ハンディーメジャー」。
【考案の詳細な説明】
【技術分野】
【０００１】  本考案は、一般的な携帯巻尺に、暗闇での計測を容易にするため音声表示やランプ付きデジタル表示による測定値の表示をする仕組み、測定した数値を記憶する仕組み、平方根や立方根を計算する仕組みを組み込んだ巻尺に関するものである。
【背景技術】
【０００２】  従来一般的に利用されている巻尺は、暗いところでの使用は懐中電灯でメモリを確認するか、明るいところにでて行かなければ確認することが出来なかった。また、一度に複数回の測定をする場合、いちいち測定値を書き留めなければ測定した値を記憶する方法がなかった。暗い場所、狭い場所、高い所で測定することの難しさがあった。また、測定した平面の面積や立体からの立方根を知るには計算機を用意しなければならなかった。
【考案の開示】
【考案が解決しようとする課題】
【０００３】  上述のとおり、従来一般的に利用されている巻尺では次のような問題点があった。
ア）視聴覚障害者が使いにくい。
イ）いちいち書とめなければ測定値を記憶できない。
ウ）暗所で測定値の表示がわかりにくい。
エ）測定データが残らず、計算機能がないため平方根・立方根が即座に計算できない。
【課題を解決するための手段】
【０００４】  本考案では、従来のメジャーに、デジタル化された数値・音声表示並びにランプ・測定記憶装置・計算機を取り付けたことを特徴とする「ハンディーメジャー」である。
【考案の効果】
【０００５】本考案は、『デジタル化された数値』によって「眼で読み取ることが容易」になり、『音声』によって「眼が不自由な場合でも耳で聞き取ることが可能」になり、『ランプ』によって「暗い場所でも読み取ることが可能」になり、『測定記憶装置』によって「複数回の測定値を確認することが可能」になり、『計算機機能』によって「測定値の合計を計算し、平方根・立方根を即座に計算することが可能」になる。
よって、あらゆる人たちが携帯メジャーひとつもっていれば、筆記道具、計算機、懐中電灯を持たなくても暗所や狭い場所、高所で短時間に計測したり、平方根・立方根の計測が可能になる。
【考案を実施するための最良の形態】
【０００６】  本案件に係るハンディーメジャーは、図１に示すように、メジャーに測定値表示を備えており、（イ）巻き取り式メモリ付きメジャーで対象物を測定し、（ロ）ストッパーを押すとメジャーの数値を（ニ）測定値表示にて表示し、（ヘ）音声発生器にて音声で数値を知らせる。また、（ホ）平方根スイッチ・立方根スイッチを押してから測定すると、自動的に計算をする。測定値記憶スイッチを押すと、過去に記録したデータを見ることが出来る。
【図面の簡単な説明】
【０００７】
【図１】測定値の音声・デジタル表示と記憶装置付き・平方根・立方根計算機能付きハンディーメジャーを示した斜視図である。
【符号の説明】
【０００８】（イ）  巻き取り式メモリ付きメジャー
（ロ）  ストッパー（ストッパーを押すとメジャーの数値をデジタルと音声で表示）
（ハ）  太陽電池
（ニ）  測定値表示
（ホ）  ・測定値記憶スイッチ  ・平方根スイッチ  ・立方根スイッチ  ・ランプスイッチ
（ヘ）  音声発生器
【図１】
0003132220.tif 000003
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
メジャーに、デジタル化された数値・音声表示、及びランプ、測定した数値から平方根・立方根の計算と計算値の記憶装置をつけたことを特徴とする測定用のハンディーメジャー。
(57)【要約】【課題】  ２本の刈込鋏を使用して植木等の刈り込み作業をする際、従来の刈込鋏用サックは、刈込鋏の刃の部分を被うだけのものであり、刈込鋏の置き場所がないので作業効率が悪く、刈込鋏を落下させる危険性が高いなどの不都合を解消すること。【解決手段】  刈込鋏全体を収納できるケースにして、刈込鋏の収納部分を２つ備える。また、刈込鋏収納ケースに吊り下げ部分を備えることにより、この問題を解決する。【選択図】図１
0003132212.tif 000002
【実用新案登録請求の範囲】
【請求項１】
刈込鋏全体を複数本収納するケース。
【請求項２】
吊り下げることのできる、刈込鋏全体を収納するケース。
【考案の詳細な説明】
【技術分野】
【０００１】本考案は、刈込鋏を収納し、植木等の刈り込み作業の能率と安全性を上げる、刈込鋏用吊り下げ収納ケースに関するものである。
【背景技術】
【０００２】従来の刈込鋏用収納サックは、刈込鋏の刃の部分を被うだけのものであり、刈込鋏全体を吊り下げて収納するものではなかった。
【考案の開示】
【考案が解決しようとする課題】
【０００３】１）  従来の刈込鋏用サックは、刈込鋏の刃の部分を被うだけのものだが、植木等の刈り込み作業は、長短２本の刈込鋏を使い、また、剪定鋸や剪定鋏も使って、脚立の上などの高所で行う場合が多く、作業者が刈込鋏を持ち替える際に手間取るので、作業効率が悪い。また、誤って刈込鋏を地面に落下させて刃先を損傷するなど、危険性が高い。
２）  従来の刈込鋏用サックは、刈込鋏の刃の部分を被うだけのものであるが、植木等の刈り込み作業は、長短２本の刈込鋏を使い、また、剪定鋸や剪定鋏も使って、脚立の上などの高所で行う場合が多く、一方の刈込鋏を使用している間、もう一方の刈込鋏の置き場がない。作業者が刈込鋏を持ち替える際に手間取るので、作業効率が悪い。また、誤って刈込鋏を地面に落下させて刃先を損傷するなど、危険性が高い。
【課題を解決するための手段】
【０００４】１）  刈込鋏全体を収納できるケースにし、刈込鋏の収納部分を２つ備える。
２）  刈込鋏収納ケースに、吊り下げ部分を備える。
【考案の効果】
【０００５】１）  従来の刈込鋏用サックに比べて、刈込鋏全体を２本収納できるので、長短２本の刈込鋏を使って、脚立の上などの高所で行う刈り込み作業の際、作業者が刈込鋏を容易に持ち替えることができ、作業効率が飛躍的に良くなる。また、高所での作業中に刈込鋏の持ち替えが容易なので、誤って刈込鋏を地面に落下させて、刃先を損傷するなどの危険性が低くなる。
２）  従来の刈込鋏用サックに比べて、吊り下げ部分が備えてあり、ここにＳ字フック等を通して、刈込鋏収納ケースを足元の脚立や植木の枝などに引っ掛けて置くことができる。長短２本の刈込鋏を使って、脚立の上などの高所で行う刈り込み作業の際、作業者が刈込鋏を容易に持ち替えることができるので、作業効率が飛躍的に良くなる。また、高所での作業中に刈込鋏の持ち替えが容易なので、誤って刈込鋏を地面に落下させて、刃先を損傷するなどの危険性が低くなる。
【考案を実施するための最良の形態】
【０００６】本考案に係る刈込鋏用吊り下げ収納ケース１は、図２のように間仕切り板４の両面に刈込鋏を差し込む収納部２が形成されている。収納部は、刈込鋏を収納した際に刃先が収納ケースの先を突き破らないために、くびれ部３が形成されており、刈込鋏はこのくびれ部で保持される。収納部には、収納した刈込鋏が上へ抜け出ることを防ぐための止め具６を備えている。間仕切り板の上部に、収納ケース本体を吊るすための用具の取り付け部５を備えている。素材は軽く、刈込鋏の刃が触れても破損しにくい丈夫な素材で、また、屋外で使用するため、風雨で劣化しにくく、太陽熱や低温で変形や劣化しにくい素材が望ましい。
【図面の簡単な説明】
【０００７】
【図１】本考案に係る刈込鋏用吊り下げ収納ケースの平面図である。
【図２】本考案に係る刈込鋏用吊り下げ収納ケースの断面図である。
【図３】本考案に係る刈込鋏用吊り下げ収納ケースに刈込鋏を収納した状態の平面図である。
【符号の説明】
【０００８】１    刈込鋏用吊り下げ収納ケース
２    収納部
３    くびれ部
４    間仕切り板
５    吊るし用具取り付け部
６    止め具
Ａ    吊るし用具
【図１】
0003132212.tif 000003
【図２】
0003132212.tif 000004
【図３】
0003132212.tif 000005
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
収納ケース本体の中心部に本体を左右に二分する間仕切り板を備え、その間仕切り板の両面に刈込鋏をそれぞれ１本ずつ上から差し入れて、刈込鋏の刃部を下にして立てた状態で、刈込鋏の下側半分以上を覆って、刈込鋏全体を保持する収納部を備えた、刈込鋏収納ケース。
【請求項２】
収納ケース本体の上端に、収納ケースを吊り下げるためのＳ字型金具などを通す穴または輪状の取っ手を備え、刈込鋏の刃部を下にして立てた状態で保持し、脚立や木の枝などに引っ掛けて吊り下げて使用することを特徴とする請求項１記載の刈込鋏収納ケース。
(57)【要約】      （修正有）【課題】ゆでたまごは、卵殻膜が卵白に密着しており、簡単にかつ綺麗に卵殻および卵殻膜を剥くことは困難であり、それを解消する為に剥離を可能にする装置を提供する。【解決手段】ゆでたまごの先端（先の細くなっている方がより良いが、太くなっている方でも問題ない）に、本装置の注口を使い小さな孔をあける。その後、小さな孔の反対側から、本装置を使用しゆでたまごの卵殻膜と卵白の間に水を注入する。卵殻膜と卵白の間に水分が回りこむ為、簡単にかつ綺麗に卵殻および卵殻膜を剥くことが可能となる。【選択図】図２
0003132219.tif 000002
【実用新案登録請求の範囲】
【請求項１】
ゆでたまごを簡単にかつ綺麗に剥くことを可能にする装置
【考案の詳細な説明】
【技術分野】
【０００１】本考案は、ゆでたまごを簡単にかつ綺麗に剥くことを可能にする装置である。ゆでたまごは、卵殻膜（らんかくまく）が卵白に密着しており、卵殻を割ってもなかなか卵殻を剥離できない場合が多い。本考案は、簡単にかつ綺麗に卵殻および卵殻膜を剥離可能とする装置である。
【背景技術】
【０００２】ゆでたまごは、卵殻膜が卵白に密着しており、簡単にかつ綺麗に卵殻膜ごと卵殻を剥くことは困難であった。また卵殻膜が卵白に密着しにくくするような料理方法や料理後の措置について云々されることはあっても、必ずうまく剥離するとは限らず、またそのようなことを可能にする装置も存在しなかった。
【考案の開示】
【考案が解決しようとする課題】
【０００３】ゆでたまごは、卵殻膜が卵白に密着しており、簡単にかつ綺麗に卵殻および卵殻膜を剥くことは困難であった。本考案はそれを解消する為のものである。
【課題を解決するための手段】
【０００４】ゆでたまごの先端（先の細くなっている方がより良いが、太くなっている方でも問題ない）に、本装置の注口を使い小さな孔をあける。その後、小さな孔の反対側から、本装置を使用しゆでたまごの卵殻膜と卵白の間に水を注入する。卵殻膜と卵白の間に水分が回りこむ為、簡単にかつ綺麗に卵殻および卵殻膜を剥くことが可能となる。
【考案の効果】
【０００５】ゆでたまごの卵殻と卵殻膜を、簡単にかつ綺麗に剥くことを可能にした。
【図面の簡単な説明】
【０００６】
【図１】本体を横から見た図である。
【図２】本体を使用しているところの断面図である。
【符号の説明】
【０００７】１  水の注口  ：ここから卵殻の中に水を注入する。
２  ストッパー  ：卵殻の中に注口が入り込む長さを一定にする部分。
３  水タンク  ：装置に水を貯める部分。
４  空気孔  ：水タンクに水を入れる部分。水タンクを押したあとの空気孔兼用。
５  本装置
６  卵殻  ：たまごの卵殻部分
７  卵殻膜  ：たまごの卵殻膜部分
【図１】
0003132219.tif 000003
【図２】
0003132219.tif 000004
【手続補正書】
【提出日】平成19年2月21日(2007.2.21)
【手続補正２】
【補正対象書類名】実用新案登録請求の範囲
【補正対象項目名】請求項１
【補正方法】変更
【補正の内容】
【請求項１】
水を貯水するタンクと水をゆでたまごに注入する針と針の深度を調整するストッパーから構成されており、ゆでたまごに針を刺した際にストッパーにてゆでたまごの卵殻からの針の深度が一定となることで、ゆでたまごの卵殻膜と卵白の間に容易に水分が浸透することを特徴とした装置。
【手続補正３】
【補正対象書類名】明細書
【補正対象項目名】０００４
【補正方法】変更
【補正の内容】
【０００４】水を貯水するタンクと水をゆでたまごに注入する針と針の深度を調整するストッパーから構成された本装置を使用して、ゆでたまごの卵殻膜と卵白の間に水分を浸透させることで簡単にかつ綺麗に卵殻および卵殻膜を剥くことが可能となる。具体的な使用方法は、まず本装置のタンクに水を入れ、ゆでたまごのどちらかの先端に本装置の針を使用し小さな穴（ゆでたまごの先の細くなっている方がより良いが、太くなっている方でも問題ない）をあけた後、その小さな孔の反対側から、もう一度ストッパーにあたるまで針を差し込み、本装置のタンクを握ることでゆでたまごの卵殻膜と卵白の間に水を注入する（この際、タンクの空気孔も同時に塞ぐ）。この結果、卵殻膜と卵白の間に水分が回り込み、簡単にかつ綺麗に卵殻および卵殻膜を剥くことが可能となる。
【手続補正４】
【補正対象書類名】明細書
【補正対象項目名】０００７
【補正方法】変更
【補正の内容】
【０００７】１  水の注ぎ口（注入針）  ：ここから卵殻の中に水を注入する針の部分。
２  ストッパー  ：卵殻の中に差し込む注入針の深度を一定にする装置。
３  水タンク  ：装置に水を貯める部分。
４  空気孔  ：水タンクに水を入れる部分。水タンクを押したあとの空気孔兼用。
５  本装置
６  卵殻  ：たまごの卵殻部分
７  卵殻膜  ：たまごの卵殻膜部分
８  卵白部分  ：たまごの卵殻膜部分
【手続補正５】
【補正対象書類名】図面
【補正対象項目名】全図
【補正方法】変更
【補正の内容】
【図１】
0003132219.tif 000005
【図２】
0003132219.tif 000006
(57)【要約】      （修正有）【課題】ダブルバスレフ型で設定する第２キャビネットを複数設置することにより低音域で増強する周波数を段階的に設定することができ、前面には１機のユニットを装着したままで、中音域の音像定位をさまたげることなく、低音域の良質、かつ均質な再生が可能になる。【解決手段】１機のスピーカーユニットにより重低音から超低音と言われる領域にかけて、周波数帯域に凹凸のない高品位の低音域再生が可能になる。また、複数の第２ダクトからの音圧レベルは従来型よりわずかに低下し、そのことで寧ろ強調感の少ない、自然な水準の重低音再生を実現する。【選択図】図１
0003132214.tif 000002
【実用新案登録請求の範囲】
【請求項１】
ダブルバスレフ型スピーカーにおいて、第一キャビネットから複数の第二キャビネットへ音圧を送り出し、複数の第二ダクトを駆動することにより、低音域で強調する周波数を連続的に複数設定し、重低音を高いレベルで再生する仕組み。
【考案の詳細な説明】
【技術分野】
【０００１】  本考案は、スピーカーにおける高品位な重低音再生を目指して、ダブルバスレフ型のエンクロージャーの構造に新たな提案を行うものである。
【背景技術】
【０００２】  音楽の基調を支える低音域を十分に再生するスピーカーとして、ダブルバスレフ型は有効な手法であるが、これまでは第一キャビネットに対して第二キャビネットを一対一と設定してきたために、第二ダクトにより強調される周波数では高い再生レベルを得られるが、一方で、その帯域より高い周波数ではレベルの低下が起きるなど、重低音域の再生において高品位な音質が確保できなかった。
【考案の開示】
【考案が解決しようとする課題】
【０００３】  スピーカーで重低音を再生するためのダブルバスレフ型のキャビネットでは、ユニット背後の音を低音域で２段階に強調することで低音再生領域が拡大されるが、第１ダクトと第２ダクトで設定した周波数の間で音圧が低下する現象が避けられず、良質の低音域再生を連続的に確保することは困難な課題である。また、これを解決するために複数のユニットを用いれば、前面からの再生音が重複し、音像が不明瞭になるというデメリットが生じることが問題になる。
【課題を解決するための手段】
【０００４】  ダブルバスレフ型で設定する第２キャビネットを複数設置することにより低音域で増強する周波数を段階的に設定することができ、前面には１機のユニットを装着したままで、中音域の音像定位をさまたげることなく、低音域の良質、かつ均質な再生が可能になる。
【考案の効果】
【０００５】  １機のスピーカーユニットにより重低音から超低音と言われる領域にかけて、周波数帯域に凹凸のない高品位の低音域再生が可能になる。また、複数の第２ダクトからの音圧レベルは従来型よりわずかに低下し、そのことで寧ろ強調感の少ない、自然な水準の重低音再生を実現する。
【図面の簡単な説明】
【０００６】
【図１】本考案を用いた実施例（第２キャビネット２室）における断面図
【図２】同（第２キャビネット３室）
【図１】
0003132214.tif 000003
【図２】
0003132214.tif 000004
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
スピーカーユニットの背面からの音圧を、第一キャビネットを経て、複数の第一ダクトにより低音域を増幅して複数の第二キャビネットに送り出し、さらに複数の第二ダクトを動作させて低音域の増幅周波数帯域を連続的に複数設定するスタガードマルチダブルバスレフ型スピーカー
(57)【要約】【課題】  本考案はストレッチの布地にネット状の芯地を特殊接着することによりウエストサイズの対応を広げ快適性とファション性を実現する．【解決手段】本考案はストレッチ布地１とネット状の芯地３の間にクモの巣状の特殊接着地２をはさみこみ伸縮性を可能にしウエストサイズの対応を広げパンツ  スカ−ト等のボトム商品の快適性とファション性の追求に役立つ。【選択図】図３
0003132248.tif 000002
【実用新案登録請求の範囲】
【請求項１】
衣服のウエスト部分に使用する芯地に伸縮性をもたせ伸縮性のあるストレッチの布地に特殊接着加工を施すことによりウエスト全体が適度な伸縮性をもち衣服  特にパンツ  スカ−トのウエストサイズの適応を広げるところを特徴とするウエスト悩み知らずのパンツ  スカ−ト．
【考案の詳細な説明】
【技術分野】
【０００１】本考案は  衣服のボトム類のウエスト部分に特殊芯地を特殊接着施した  パンツ  スカ−トである．
【背景技術】
【０００２】従来衣服のウエスト部分は固定ウエスト  又はゴム入りウエストでサイズ対応が不十分であり快適性が不足していた．
【考案の開示】
【考案が解決しようとする課題】
【０００３】購入したパンツ  スカ−ト等が日常の少しの体型の変化や季節による着膨れによるサイズ対応を容易にすると同時に見た目もきれいに考案されたものである．
【課題を解決するための手段】
【０００４】本考案は  ストレッチの布地で作られるパンツ  スカ−トのウエスト部分にネット状の芯地をクモの巣状の特殊接着地で接着加工することによりウエストの伸縮が可能になり問題点を解決している．
【考案の効果】
【０００５】ストレッチ製の布地で作られたパンツ  スカ−トでも従来は固定ウエストか  又は平ゴム入りであった．固定ウエストの場合はサイズ対応が難しくお直しが必要であり  平ゴム入りだとウエスト部分がゴツゴツして見た目も不細工である．本考案はウエストサイズの伸縮により胴周り最大６センチメ−トルの対応が可能である．
【考案の実施するための最良の形態】
【０００６】ストレッチの表生地をウエスト部分の形に裁断しネット状の芯地とクモの巣状の特殊接着地を温度１３０度Ｃ圧力３００ＫＰＡ／ＭＰＡ設定時間１０秒で貼り付けることにより伸縮が可能になる．最後はパンツ  スカ−トの残りの部品を合体させ縫製する．
【実施例】
【０００７】以下  添付図面に従って説明する．  １はストレッチ製のウエスト部分の表布地  ３はネット状の芯地  ２はクモの巣状の特殊接着地である．  １と３の間に２をはさみこみ３枚重ねて決められた温度と圧力で接着すると伸縮可能なウエスト部分となる．
【図面の簡単な説明】
【０００８】
【図１】ウエスト部分のストレッチの布地  ネット状の芯地  クモの巣状の特殊接着地の裁断した平面図である．
【図２】接着時の立体図である．
【図３】パンツ  スカ−ト本体のウエスト部の縫製後の分解図である．但し  ２の部分は加工後溶けて接着剤となる．
【図４】パンツ  スカ−トのウエスト部の出来上り完成図である．
【符号の説明】
【０００９】１  ウエスト部分のストレッチの布地の裁断生地
２  クモの巣状の特殊接着地
３  ネット状の芯地
４  パンツ  スカ−ト本体のウエスト伸縮部
【図１】
0003132248.tif 000003
【図２】
0003132248.tif 000004
【図３】
0003132248.tif 000005
【図４】
0003132248.tif 000006
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
（イ）ナイロン系ポリアミドの不職布を薄くクモの巣状に加工した芯地（２）を用意する．
（ロ）ナイロン９２％ポリウレタン８％のニット地（３）を（２）のクモの巣芯地にポリウレタン系のノリで接着する．
（ハ）縦糸  横糸共にストレッチ糸を使用した布地（１）に（２）と（３）を接着した芯地に熱と圧力を加え貼りつける．
以上の如く組み合わされたウエスト悩み知らずのウエストベルト部である．
【手続補正２】
【補正対象書類名】明細書
【補正対象項目名】全文
【補正方法】変更
【補正の内容】
【考案の詳細な説明】
【技術分野】
【０００１】本考案は衣服のボトム類  パンツ及びスカ−トのウエストベルト部を最大６センチメ−トル伸縮可能にする．
【背景技術】
【０００２】従来衣服のウエストベルト部は固定ウエスト又はゴム入りウエストでサイズ対応が不十分であり快適性が不足していた．
【考案の開示】
【考案が解決しようとする課題】
【０００３】購入したパンツ及びスカ−ト等が日常の少しの体型の変化や季節による着膨れによるサイズ対応を容易にすると同時に見た目もきれいに考案されたものである．
【課題を解決するための手段】
【０００４】本考案はストレッチの布地（１）に（２）と（３）を接着した芯地を重ねて決められた温度と圧力で貼り付ける事により全体が伸縮可能になり問題点を解決している．
【考案の効果】
【０００５】従来のパンツ及びスカ−トのウエストベルト部は固定ウエストか又は平ゴム入りであった．固定ウエストの場合はサイズ対応が難しくお直しが必要であり  平ゴム入りだとウエスト部分がゴツゴツして嫌われてきた本考案はウエスト部の伸縮を可能にし２−３サイズの対応が可能である．
【考案の実施するための最良の形態】
【０００６】パンツ及びスカ−ト等のウエスト部の型紙に合わせて（１）（２）（３）を裁断する．  重ねあわせて温度１３０度Ｃ圧力３００ＫＰＡ／ＭＰＡ設定時間１０秒ではりつける．  最後にパンツ及びスカ−トの残りの部品を合体させ縫製する．
【実施例】
【０００７】添付図面（１）（２）（３）はウエスト部の裁断パ−ツ．初めに（２）と（３）をポリウレタン系のノリで接着した芯地に（１）を重ね合わせて決められた温度と圧力ではりつけると（２）の不職布部分が溶けて接着される．
接着後は（１）と（３）が貼り合わされた状態となり伸縮可能なベルト部分になる．
【図面の簡単な説明】
【０００８】
【図１】ウエスト部の型紙に合わせて裁断した平面図である．
【図２】（２）と（３）を貼り合わせた後に（１）を重ね合わせて接着した立体図である．
【図３】パンツ及びスカ−トの縫製時のウエストベルト部の分解図である．
【図４】パンツ及びスカ−トのウエスト部と他の部品を合体縫製した完成図である．
【符号の説明】
【０００９】１  ウエスト部のストレッチの布地の裁断地
２  薄い不職布をクモの巣にした芯地
３  ネット状の薄いニット地
４  完成時のウエストベルト部
(57)【要約】【課題】買い物などでたまるレジ袋を簡易に収納でき、すばやくゴミ袋として再利用できるレジ袋収納スタンドを提供する。【解決手段】レジ袋の大小にあうようにＡ４サイズの胴体の形をした板につまみ出せるようにくぼみを入れ、ポールスタンドに取り付けます。その板にレジ袋を何枚もかぶせて収納できる。ゴミ袋として再利用するときはすばやく取り出せて使うことができる。また  コンパクトな本体は  台所の片隅にスタンドとして置くこともできる。【選択図】図１
0003132244.tif 000002
【実用新案登録請求の範囲】
【請求項１】
買い物などで増えるレジ袋をすばやく収納できて、すばやくつまみだせるようにスタンド型にした。また大小のレジ袋をかぶせることができるようにＡ４サイズぐらいの板にし、レジ袋がつまみだしやすいように真ん中にくぼみを入れる。
スタンドの台は、置き場所をとらないように４０平方ｃｍほどで３０ｃｍの足をつける  その上に板をつける。どこにでも置き換えられるように、本体にグリップ穴をつけたレジ袋収納スタンド。
【考案の詳細な説明】
【技術分野】
【０００１】本発明は買い物でふえるレジ袋の簡易な収納と再利用しやすくするために、マネキンスタンドの洋服を着せるようにレジ袋をかぶせ使用できるようにしたものである。大小のレジ袋を何枚もかぶせられるようにＡ４サイズぐらいの板にする。また真ん中にくぼみを入れてレジ袋を何枚もかぶせやすく取り出せやすくしたものである。
【背景技術】
【０００２】従来は、レジ袋を収納する箱や袋に入れて収納していたので、レジ袋をかぶせて収納するレジ袋収納スタンドはなかった。
【考案の開示】
【考案が解決しようとする課題】
【０００３】毎日の買い物でたまるレジ袋をきれいにたたんだりまるめたりすると時間がかかりかさばってたまるばかりの難点があった。本発明はこの課題を解決するためになされたものである。
【課題を解決するための手段】
【０００４】Ａ４サイズの板に洋服スタンドのように足をつけ、レジ袋をかぶせることによって残りの枚数がわかる。また真ん中にくぼみを入れることによって、つまみやすくゴミ袋として再利用できるようにした。
【考案の効果】
【０００５】レジ袋をたたむ手間や時間もなく、しかもくぼみをつけることによって、すばやくつまみ出すことができる。そして、置き場所にも困らず片隅に置くことができる。
しかも  残り枚数がよく分かり再利用しやすい。
【考案を実施するための最良の形態】
【０００６】土台となるスタンドは、上に乗る板の重みに倒れることのないように少し重みのある木材にする、よって全体の材質を木材にし  温かみのある台所用品となった。
その土台にポールを立て大小の袋が収納できるようにＡ４サイズの板をねじで付ける、また  くぼみを付けて袋が取り出しやすくし  持ち運びしやすいように板に穴を開けにぎりやすくした。
【実施例】
【０００７】以下、添付図面に従って一実施例を説明する。１の材木で出来たレジ袋収納スタンド本体を、２に取り付ける。２は倒れないように重さを考えた台にする。３はレジ袋を取り出しやすくする為にくぼみを入れ、４のいつもの買い物で増えるレジ袋を１本体にかぶせることによって、収納しやすく  再利用しやすくなる。
【図面の簡単な説明】
【０００８】
【図１】本発明の正面図である。
【図２】本発明の使用状態をしめす断面図である。
【符号の説明】
【０００９】１    レジ袋収納スタンド本体
２    スタンドポール
３    くぼみ板
４    レジ袋
【図１】
0003132244.tif 000003
【図２】
0003132244.tif 000004
【手続補正書】
【提出日】平成19年2月22日(2007.2.22)
【手続補正１】
【補正対象書類名】明細書
【補正対象項目名】全文
【補正方法】変更
【補正の内容】
【考案の詳細な説明】
【技術分野】
【０００１】本発明は買い物でふえるレジ袋の簡易な収納と再利用しやすくするために、マネキンスタンドの洋服を着せるようにレジ袋をかぶせ使用できるようにしたものである、大小のレジ袋を何枚もかぶせられるようにＡ４サイズぐらいの板にする、また
真ん中にくぼみを入れてレジ袋を何枚もかぶせやすく取り出せやすくしたものである。
【背景技術】
【０００２】従来は、レジ袋を収納する箱や袋に入れて収納していたので、レジ袋をかぶせて収納するレジ袋収納スタンドはなかった。
【特許文献１】
【０００３】
【考案の開示】
【考案が解決しようとする課題】
【０００４】毎日の買い物でたまるレジ袋をきれいにたたんだりまるめたりすると時間がかかりかさばってたまるばかりの難点があった、本発明はこの課題を解決するためになされたものである。
【課題を解決するための手段】
【０００５】Ａ４サイズの板に洋服スタンドのように足をつけ、レジ袋をかぶせることによって残りの枚数がわかる、また真ん中にくぼみを入れることによって、つまみやすくゴミ袋として再利用できるようにした。
【考案の効果】
【０００６】レジ袋をたたむ手間や時間もなく、しかもくぼみをつけることによって、すばやくつまみ出すことができる、そして、置き場所にも困らず片隅に置くことができる。
以下、本発明の実施の形態について説明する、
（イ）．スタンドの上に板をつけ、倒れないようにする
（ウ）．板の真ん中にくぼみをつける
【実施例】
【０００７】
【図面の簡単な説明】
【０００８】
【図１】本発明の正面図である。
【図２】本発明の使用状態をしめす断面図である。
【符号の説明】
【０００９】１    レジ袋収納スタンド本体
２    スタンドポール
３    くぼみ板
４    レジ袋
【手続補正２】
【補正対象書類名】実用新案登録請求の範囲
【補正対象項目名】請求項１
【補正方法】変更
【補正の内容】
【請求項１】
「日常の買い物などで増えるレジ袋の再利用において、
（１）レジ袋をすばやく収納できてすばやくつまみだせるようにスタンド型にする、
（２）大小のレジ袋をかぶせれることができるようにＡ４サイズの板にする、
（３）レジ袋が取り出せやすいように真ん中にくぼみを入れる、
（４）スタンドの台は置き場所をとらないように４０平方ｃｍで３０ｃｍの足を付けるその上に（２）の板を付ける、
（５）どこにでも置けるように本体にグリップ穴を付ける、
以上からなるレジ袋収納スタンド。」
(57)【要約】      （修正有）【課題】動物の健康維持に役立つ屋内トレーニングマシンを提供する。【解決手段】ベルトコンベアのベルトに動物を乗せて歩かせ、あるいは走らせるものでありベルトの前後左右に柵を設けるものであり、それは取り外しが可能で且つ高さを変えられるものであり、又ベルトに巻き込まれ防止用の板を設置し、ベルトを回転させる駆動部、速度調整、タイマー、カウンターなどを備えた動物用トレーニングマシンである。【選択図】図１
0003132261.tif 000002
【実用新案登録請求の範囲】
【請求項１】
ベルトコンベアのベルトに犬、猫等の動物を乗せて歩かせ、あるいは走らせるために、ベルトの前後左右に棒状、あるいは板状の柵を設けるものであるが、その柵は各々取り外し可能で且つ折りたたみ、あるいは棒を継ぎ足すことにより高さを変えられる構造とし、且つベルトの前後に巻き込まれ防止の板を設け、ベルトを回転させる駆動部、速度調整、タイマー、カウンターを備えることを特徴とした動物用のトレーニングマシンである。
【考案の詳細な説明】
【技術分野】
【０００１】本考案は動物の健康機器のトレーニングマシンである。
【背景技術】
【０００２】従来の動物用の健康機器にはトレーニングマシンは無かった。
登録実用新案第  ３１０３３７３号
【考案の開示】
【考案が解決しようとする課題】
【０００３】犬、猫等の動物において野山を日常的に走ることが本来の姿であるが、現在人間が飼っている動物の犬や猫等を毎日外に連れ出して、運動させることは空間的にも時間的にも制限されており、又飼い主にとっても大きな負担となっており、そのために運動不足による肥満あるいはストレスなどにより健康を損ねているのが現状である。そこで動物用のトレーニングマシンにより健康の維持に役立たせるものである。
【課題を解決するための手段】
【０００４】本考案はベルトコンベア状のベルトに犬、猫等の動物を乗せて歩かせ、あるいは走らせるものでベルトの前後左右に柵を設置し、しかもその柵は各々取り外し可能で且つ高さを変えられる構造とし、さらにベルトの前後にベルトの巻き込まれ防止の板を設け安全に配慮したものとし、ベルトの速度調整、タイマー、カウンターなどを備えることにより動物を少しずつ慣れさせることを可能としたものである。
【考案の効果】
【０００５】本考案の動物用トレーニングマシンにより犬、猫等の動物を外に連れ出すことが無く運動をさせることが出来るようになり、動物の健康維持に役立つことが出来た。
【考案の実施するための最良の形態】
【０００６】以下、本考案の実施形態を図１から図２に基づいて説明する。
【０００７】図１においてベルトコンベアに犬を走らせている状態を示しているものであり、２のベルトコンベアに犬を乗せ１の柵で囲い４はベルトに巻き込まれ防止用の板を設置した状態であり、３において運転、停止、速度調整、タイマー、カウンターなどの電気部を収納した部分を示したもので、図２において上から見た展開図を示しており、１の柵は取り外し可能で且つ継ぎ足すことにより高さを変えられる構造を示しており、６はベルト、５は餌などを置く受け皿であり、又ベルト駆動部はベルト本体の内部に収納されているものとする
【図面の簡単な説明】
【０００８】
【図１】本考案を使用している状態を横から見た図
【図２】本考案を上から見た展開図
【符号の説明】
【０００９】      １  柵
２  ベルトコンベア
３  電気部収納箱
４  巻き込み防止用板
５  餌の受け皿
６  ベルト
【図１】
0003132261.tif 000003
【図２】
0003132261.tif 000004
(57)【要約】【課題】  のりもの（鉄道・自動車・飛行機・船）の運行中、相互に電気エネルギーを受給電し、蓄電できるエコロジー処理コンピュータヴィークルシステム。【解決手段】  給電側のりもの１に架線４を備え発電機（超伝導コイル蓄電機）５より給電し、同じ方向同じ速さで接近接触した受電側のりもの２にパンタグラフ３を備え発電機（超伝導コイル蓄電機）５により受電し、受給電が完了すると、受電側のりもの２と給電側のりもの１は離れて運行するエコロジー処理コンピュータヴィークルシステム。【選択図】          図１
0003132269.tif 000002
【実用新案登録請求の範囲】
【請求項１】
電気エネルギーの受給電を運行中ののりもの相互で行うため給電側のりものの有する架線と受電側のりものの有するパンタグラフを接触させ双方の有する発電機（超伝導コイル蓄電機）でエネルギー受給電するエコロジー処理コンピュータヴィークルシステム。
【請求項２】
給電側のりもの（鉄道、自動車、飛行機、船）に給電用架線を具備した事を特徴とする請求項１に記載のエコロジー処理コンピュータヴィークルシステム。
【請求項３】
電気エネルギーの受給電を目的として、発電機（超伝導コイル）を具備した事を特徴とする請求項１に記載のエコロジー処理コンピュータヴィークルシステム。
【考案の詳細な説明】
【技術分野】
【０００１】
本考案は、従来のエコロジー処理コンピュータヴィークルシステムとしての電気エネルギー受給電用パンタグラフ・架線のエコロジー処理コンピュータヴィークルシステムに関する。
【背景技術】
【０００２】
受給電用パンタグラフ・架線のエコロジー処理コンピュータヴィークルシステムは、給電側の架線が、停止している地上の電柱で構築した受電側のりものの有するパンタグラフによる受給電しているものである。
【考案の開示】
【考案が解決しようとする課題】
【０００３】
しかしながら、のりもの（鉄道、自動車、飛行機、船）が相互に運行している（走っているものどうし）の電気エネルギー受給電のNEEDSに対応できなかった。
【０００４】
本考案は上記実情に鑑みてなされたものであり、受電用パンタグラフと給電用架線により発電機（超伝導コイル蓄電機）に受給電する走行しているのりもののNEEDSに対応する事を目的としている。
【課題を解決するための手段】
【０００５】
上記目的を達成するため考案は、従来の受電用パンタグラフを有したのりものに給電用架線を具備したのりものが走行中相対的に静止している状態の走行法により夫々が具備する発電機（超伝導コイル蓄電機）に受給電するものである。
【考案の効果】
【０００６】
本考案により、飛行している２機の航空機のように相互に走行しているのりもの（鉄道・自動車・飛行機・船）が走行中に電気エネルギーを受給電できるようになり、エンジン騒音や排気ガス公害のない電力によるエコロジー処理コンピュータヴィークルシステムのNEEDSに対応できる。
【考案を実施するための最良の形態】
【０００７】
本考案の実施の形態の一例について図面を参照しながら説明する。
エコロジー処理コンピュータヴィークルシステムは図１に示すように、給電側のりもの１、の有する発電機（超伝導コイル蓄電機）５、より給電側のりもの１、の有する架線４、と受電側のりもの２、の有するパンタグラフ３とを接触させる走行状態で、受電側のりもの２の有する発電機（超伝導コイル蓄電機）５、と受給電するエコロジー処理コンピュータヴィークルシステムでNEEDSへの対応としている。
【図面の簡単な説明】
【０００８】
【図１】本考案のエコロジー処理コンピュータヴィークルシステムの実施の形態の一例を示す図である。
【符号の説明】
【０００９】
１        給電側のりもの
２        受電側のりもの
３        パンタグラフ
４        架線
５        発電機（超伝導コイル蓄電機）
【図１】
0003132269.tif 000003
【手続補正書】
【提出日】平成19年3月23日(2007.3.23)
【手続補正１】
【補正対象書類名】実用新案登録請求の範囲
【補正対象項目名】全文
【補正方法】変更
【補正の内容】
【実用新案登録請求の範囲】
【請求項１】
電気エネルギーの受給電を運行中ののりもの相互で行うため給電側のりものの有する架線と受電側のりものの有するパンタグラフを接触させ双方の有する超伝導コイル蓄電機でエネルギー受給電するエコロジー処理コンピュータヴィークルシステム。
【請求項２】
給電側のりもの鉄道、自動車、飛行機、船に給電用架線を具備した事を特徴とする請求項１記載のエコロジー処理コンピュータヴィークルシステム。
【請求項３】
電気エネルギーの受給電を目的として、超伝導コイル蓄電機を具備した事を特徴とする請求項１に記載のエコロジー処理コンピュータヴィークルシステム。